(57)【要約】  伸縮性および不織布とフィルムとの追従性に優れるとともに、さらにリフトアップ効果にも優れ、例えば、フェイスマスク、フットケアシート、保湿シートなどに好適に使用することができる化粧用シートであって、不織布とフィルムとが積層された化粧用シートであり、前記不織布として熱融着性繊維を含有する不織布が用いられ、前記フィルムとして熱可塑性エラストマーを含有してなるフィルムが用いられ、不織布に含まれる熱融着性繊維とフィルムとが融着一体化されていることを特徴とする化粧用シート。【特許請求の範囲】
【請求項１】
不織布とフィルムとが積層されてなる化粧用シートであって、前記不織布として熱融着性繊維を含有する不織布が用いられ、前記フィルムとして熱可塑性エラストマーを含有してなるフィルムが用いられ、不織布に含まれる熱融着性繊維とフィルムとが融着一体化されていることを特徴とする化粧用シート。
【請求項２】
５０％伸長時の荷重が０．７５〜３．５Ｎ／２５ｍｍである請求項１に記載の化粧用シート。
【請求項３】
５０％伸長させた後の伸び率が２０％以下である請求項１または２に記載の化粧用シート。
【発明の詳細な説明】
【技術分野】
【０００１】
本発明は、化粧用シートに関する。さらに詳しくは、本発明は、例えば、フェイスマスク、フットケアシート、保湿シートなどに好適に使用することができる化粧用シートに関する。
【背景技術】
【０００２】
近年、化粧液を含有する液体含浸基材を広げやすくし、液体含浸基材からの化粧液の分離および脱離を抑制するとともに、有効成分の蒸散を抑制したフェイスマスクとして、化粧液を含有する液体含浸基材と液体遮断フィルムとが重ね合わされてスポット状に接合されたフェイスマスクが提案されている（例えば、特許文献１の段落［０００８］−［０００９］参照）。前記フェイスマスクに用いられる基材には、レーヨン、コットン、ポリエステル繊維などからなる不織布が用いられている。前記不織布に熱融着性繊維を含めたり、ホットメルトバインダを付着させたりすることにより、当該不織布を液体遮断フィルムと溶着させることができるとされている（例えば、特許文献１の段落［００１４］参照）。また、水分の蒸発を防ぎ、ウェット感を有するフェースマスクとして、コットン不織布とポリエチレン樹脂膜とが一体化されたフェースマスクが提案されている（例えば、特許文献２の段落［請求項１］参照）。【０００３】
しかし、前記フェイスマスクおよびフェースマスクは、いずれも、伸縮性が小さく、例えば、５０％伸長させたときに不織布とフィルムとが追従せずに剥離が生じるおそれがあることから、近年、伸縮性および不織布とフィルムとの追従性に優れ、さらにリフトアップ効果（フェイスマスクをヒトの顔面に装着したときに当該顔面の頬部およびフェイスラインを引き上げる効果）にも優れ、例えば、フェイスマスクなどに好適に使用することができる化粧用シートの開発が望まれている。
【先行技術文献】
【特許文献】
【０００４】
【特許文献１】特許第３８６６５５５号公報
【特許文献２】実用新案登録第３０８０９４０号公報
【発明の概要】
【発明が解決しようとする課題】
【０００５】
本発明は、前記従来技術に鑑みてなされたものであり、伸縮性および不織布とフィルムとの追従性に優れるとともに、さらにリフトアップ効果にも優れ、例えば、フェイスマスク、フットケアシート、保湿シートなどに好適に使用することができる化粧用シートを提供することを課題とする。
【課題を解決するための手段】
【０００６】
本発明は、
（１）不織布とフィルムとが積層されてなる化粧用シートであって、前記不織布として熱融着性繊維を含有する不織布が用いられ、前記フィルムとして熱可塑性エラストマーを含有してなるフィルムが用いられ、不織布に含まれる熱融着性繊維とフィルムとが融着一体化されていることを特徴とする化粧用シート、
（２）５０％伸長時の荷重が０．７５〜３．５Ｎ／２５ｍｍである前記（１）に記載の化粧用シート、および
（３）５０％伸長させた後の伸び率が２０％以下である前記（１）または（２）に記載の化粧用シート
に関する。
【発明の効果】
【０００７】
本発明によれば、伸縮性および不織布とフィルムとの追従性に優れるとともに、さらにリフトアップ効果にも優れ、例えば、フェイスマスク、フットケアシート、保湿シートなどに好適に使用することができる化粧用シートが提供される。
【発明を実施するための形態】
【０００８】
本発明の化粧用シートは、前記したように、不織布とフィルムとが積層された化粧用シートであり、前記不織布として熱融着性繊維を含有する不織布が用いられ、前記フィルムとして熱可塑性エラストマーを含有してなるフィルムが用いられ、不織布に含まれる熱融着性繊維とフィルムとが融着一体化されていることを特徴とする。
【０００９】
本発明の化粧用シートは、前記構成を有することから、伸縮性および不織布とフィルムとの追従性に優れるとともに、さらにリフトアップ効果にも優れ、例えば、フェイスマスク、フットケアシート、保湿シートなどに好適に使用することができる。また、本発明の化粧用シートの５０％伸長時の荷重が０．７５〜３．５Ｎ／２５ｍｍ、好ましくは０．７５〜３Ｎ／２５ｍｍ、より好ましくは０．７５〜２．５Ｎ／２５ｍｍである場合、本発明の化粧用シートを例えばフェイスマスクなどに用いたとき、ヒトの顔面の頬部およびフェイスラインを適度な力で引き上げることができるという利点がある。また、本発明の化粧用シートの５０％伸長させた後の伸び率が２０％以下である場合には、本発明の化粧用シートを例えばフェイスマスクなどに用いたとき、ヒトの顔面を頬部およびフェイスラインに沿って引き上げることを維持することができるという利点がある。
【００１０】
不織布を構成する繊維には、熱融着性繊維が用いられるが、本発明の目的を阻害しない範囲内で熱不溶融性繊維が含まれていてもよい。
【００１１】
熱融着性繊維としては、例えば、ポリエチレン繊維、ポリプロピレン繊維などのポリオレフィン繊維、ポリエチレンテレフタレート繊維などのポリエステル繊維；各種ナイロンに代表されるポリアミド繊維、ポリアクリル繊維、エチレン−酢酸ビニル繊維、酢酸ビニル−塩化ビニル繊維、ポリエステル−ポリエステル系複合繊維、ポリエステル−ポリオレフィン系複合繊維、ポリエステル−ポリアミド系複合繊維、ポリアミド−ポリアミド系複合繊維などの複合繊維などが挙げられるが、本発明は、かかる例示のみに限定されるものではない。これらの熱融着性繊維は、それぞれ単独で用いてもよく、２種類以上を併用してもよい。複合繊維としては、例えば、芯鞘型複合繊維、サイド−バイ−サイド型複合繊維などが挙げられるが、本発明は、かかる例示のみに限定されるものではない。
【００１２】
熱不溶融性繊維としては、例えば、レーヨン繊維、綿、パルプ、麻、芳香族ポリアミド繊維、フェノール繊維、炭素繊維、セラミック繊維、金属繊維などが挙げられるが、本発明は、かかる例示のみに限定されるものではない。これらの熱不溶融性繊維は、それぞれ単独で用いてもよく、２種類以上を併用してもよい。これらの熱不溶融性繊維のなかでは、本発明の化粧用シートに適度な強度および伸縮性を付与する観点から、レーヨン繊維、綿およびパルプが好ましく、レーヨン繊維および綿がより好ましく、レーヨン繊維がさらに好ましい。
【００１３】
不織布における熱融着性繊維の含有率は、当該不織布とフィルムとを強固に融着一体化させる観点から、好ましくは１０質量％以上、より好ましくは１５質量％以上、さらに好ましくは２０質量％以上であり、その上限値は１００質量％である。
【００１４】
不織布を構成する繊維の繊維長および繊度については、特に限定されないが、通常、繊維長は、好ましくは２０〜１００ｍｍ程度、より好ましくは４０〜８０ｍｍ程度であり、繊度は、好ましくは１〜３０デニール程度、より好ましくは３〜１０デニール程度である。なお、不織布を構成する繊維には、本発明の目的を阻害しない範囲内で、例えば、繊維長が好ましくは０．５〜２０ｍｍ程度、より好ましくは１〜１５ｍｍ程度の短繊維が含まれていてもよい。
【００１５】
不織布の目付は、本発明の化粧用シートの用途によって異なるので一概には決定することができないが、本発明の化粧用シートに適度な強度および伸縮性を付与する観点から、好ましくは５〜２００ｇ／ｍ2、より好ましくは１０〜１８０ｇ／ｍ2、さらに好ましくは２０〜１５０ｇ／ｍ2、さらに一層好ましくは３０〜１００ｇ／ｍ2である。
【００１６】
不織布を製造する方法としては、例えば、ニードルパンチ法、水流絡合法、スパンボンド法、メルトブロー法、湿式抄紙法、高圧蒸気交絡法などが挙げられるが、本発明は、かかる例示のみに限定されるものではない。
【００１７】
不織布は、本発明の化粧用シートを例えばフェイスマスクなどに用いたとき、ヒトの顔面の頬部およびフェイスラインを適度な力で引き上げるとともに、引き上げた状態を維持する観点から、一方向に伸縮しやすいものであることが好ましい。
【００１８】
不織布の伸びの方向には、一般に縦方向と横方向とがある。通常、不織布の伸びの縦方向は、不織布を製造する際の不織布の流れ方向をいい、不織布の伸びの横方向は、前記不織布の流れ方向に対して直角の方向をいう。前記不織布を例えばフェイスマスクなどに用いる場合には、ヒトの顔面の頬部およびフェイスラインを適度な力で引き上げるとともに引き上げた状態を維持する観点から、一方向に伸びやすい不織布を用い、当該不織布の横方向と人の顔面の横方向とが同一となるように使用することが好ましい。
【００１９】
不織布の縦方向の引張伸度および横方向の引張伸度は、本発明の化粧用シートを例えばフェイスマスクなどに用いたとき、ヒトの顔面の頬部およびフェイスラインを適度な力で引き上げるとともに、引き上げた状態を維持する観点から、それぞれ、４０〜１１０％（縦方向）および１２０〜２２０％（横方向）であることが好ましく、４５〜１０５％（縦方向）および１２５〜２１５％（横方向）であることがより好ましい。
【００２０】
なお、不織布の引張伸度は、ＪＩＳ  Ｌ１９１３（２０１０年）の「６．３．１」に準拠して求めたときの値である。より詳しくは、不織布の縦方向および横方向の引張伸度は、不織布から５０ｍｍ×１５０ｍｍの長方形状の試験片３枚を切り出し、当該試験片を引張試験機で初期長さ（試験片の長さ）１００ｍｍに設定し、引張速度３００ｍｍ／ｍｉｎにて試験片が切断する際の伸びを測定し、引張伸度（元の長さに対する伸びた長さの比率）を求め、３枚の試験片の引張伸度の平均値を不織布の引張伸度とし、不織布の縦方向および横方向の引張伸度を求めたときの値である。
【００２１】
また、不織布の横方向の引張伸度と縦方向の引張伸度との比（横方向の引張伸度／縦方向の引張伸度）の値は、本発明の化粧用シートを例えばフェイスマスクなどに用いたとき、ヒトの顔面の頬部およびフェイスラインを適度な力で引き上げるとともに、引き上げた状態を維持する観点から、好ましくは１〜５、より好ましくは１．５〜３．５、さらに好ましくは２〜３である。
【００２２】
不織布の縦方向および横方向のうち一方向に伸びやすい不織布は、商業的に容易に入手することができるものであり、その例として、ダイワボウポリテック（株）製、品番：ＤＦＳ（ＳＨ）Ｒ５−５０（縦方向の引張伸度：７０±２５％、横方向の引張伸度：１７０±４５％）、品番：ＤＦＳ（ＳＨ）Ｒ５−７０（縦方向の引張伸度：８０±２５％、横方向の引張伸度：１７０±４５％）などが挙げられるが、本発明は、かかる例示のみに限定されるものではない。
【００２３】
不織布は、前記したように、フィルムと積層され、不織布に含まれる熱融着性繊維とフィルムとが融着一体化される。前記フィルムとして、熱可塑性エラストマーを含有するフィルムが用いられる。
【００２４】
本発明においては、フィルムとして熱可塑性エラストマーを含有するフィルムが用いられ、不織布に含まれる熱融着性繊維とフィルムとが融着一体化されている点に１つの大きな特徴がある。本発明の化粧用シートは、前記構成を有するので、伸縮性および不織布とフィルムとの追従性に優れるとともに、さらにリフトアップ効果にも優れている。
【００２５】
前記熱可塑性エラストマーとしては、例えば、ポリエチレンエラストマー、ポリプロピレンエラストマー、エチレン−プロピレンエラストマー、エチレン−オクテンエラストマーなどのポリオレフィン系エラストマー、ポリウレタンエラストマー、ポリスチレンエラストマー、ポリエステルエラストマー、ポリアミドエラストマー、塩化ビニル樹脂エラストマーなどが挙げられるが、本発明は、かかる例示のみに限定されるものではない。これらのエラストマーは、それぞれ単独で用いてもよく、２種類以上を併用してもよい。エラストマーのなかでは、伸縮性、不織布とフィルムとの追従性およびリフトアップ効果に優れた化粧用シートを得る観点から、ポリオレフィン系エラストマーが好ましく、ポリエチレンエラストマー、エチレン−プロピレンエラストマーおよびエチレン−オクテンエラストマーがより好ましく、ポリエチレンエラストマーおよびエチレン−オクテンエラストマーがさらに好ましい。これらのポリオレフィン系エラストマーは、それぞれ単独で用いてもよく、併用してもよい。
【００２６】
なお、熱可塑性エラストマーを含有するフィルムは、熱可塑性エラストマーのみで構成されていてもよく、熱可塑性エラストマーと熱可塑性樹脂との混合物で構成されていてもよい。
【００２７】
前記熱可塑性樹脂としては、例えば、低密度ポリエチレン、中密度ポリエチレン、高密度ポリエチレンなどのポリエチレン、ポリプロピレン、エチレン−プロピレンコポリマー、エチレン−ブテンコポリマー、エチレン−ペンテンコポリマー、エチレン−ヘキセンコポリマー、プロピレン−ブテンコポリマー、プロピレン−ペンテンコポリマー、プロピレン−ヘキセンコポリマー、エチレン−酢酸ビニルコポリマー、エチレン−（メタ）アクリル酸コポリマーなどのポリオレフィン系樹脂；ポリスチレン、アクリロニトリル−ブタジエン−スチレン共重合体（ＡＢＳ樹脂）などのスチレン系樹脂；６−ナイロン、６６−ナイロン、１２−ナイロンなどのポリアミド系樹脂；ポリアミドイミド；ポリウレタン；ポリイミド；ポリエーテルイミド；アクリル樹脂；塩化ビニル樹脂；ポリエチレンテレフタレート、ポリブチレンテレフタレートなどのポリエステル系樹脂；ビスフェノールＡ系ポリカーボネートなどのポリカーボネートなどが挙げられるが、本発明は、かかる例示のみに限定されるものではない。これらの熱可塑性樹脂は、それぞれ単独で用いてもよく、２種類以上を併用してもよい。前記熱可塑性樹脂のなかでは、本発明の化粧用シートに適度な強度および伸縮性を付与する観点から、ポリエチレン、ポリプロピレンなどのポリオレフィン系樹脂が好ましく、低密度ポリエチレンがより好ましい。
【００２８】
伸縮性および不織布とフィルムとの追従性に優れるとともに、さらにリフトアップ効果にも優れる化粧用シートを得る観点から、前記フィルムにおける熱可塑性エラストマーの含有率は、好ましくは１０質量％以上、より好ましくは２０質量％以上、さらに好ましくは３０質量％以上、さらに一層好ましくは４０質量％以上であり、前記フィルムにおける熱可塑性樹脂の含有率は、好ましくは９０質量％以下、より好ましくは８０質量％以下、さらに好ましくは７０質量％以下、さらに一層好ましくは６０質量％以下である。また、伸縮性および不織布とフィルムとの追従性に優れるとともに、さらにリフトアップ効果にも優れる化粧用シートを得る観点から、前記フィルムにおける熱可塑性エラストマーの含有率は、好ましくは１００質量％以下、より好ましくは９５質量％以下、さらに好ましくは９０質量％以下であり、前記フィルムにおける熱可塑性樹脂の含有率は、好ましくは０質量％以上、より好ましくは５質量％以上、さらに好ましくは１０質量％以上である。
【００２９】
フィルムの厚さは、本発明の化粧用シートの用途によって異なるので一概には決定することができないが、本発明の化粧用シートに適度な強度、柔軟性および伸縮性を付与する観点から、好ましくは１〜５０μｍ、より好ましくは３〜３０μｍ、さらに好ましくは５〜１５μｍである。
【００３０】
フィルムは、例えば、原料の熱可塑性エラストマーおよび必要により熱可塑性樹脂を加熱溶融させ、Ｔダイなどを用い、得られた溶融物を押出成形する方法などによって製造することができる。
【００３１】
不織布とフィルムとを積層する方法としては、例えば、押出し機などから押出し成形された直後の加熱溶融されている状態にある熱可塑性エラストマーを含有するフィルムと不織布とを一体化させる方法（押出しラミネート法）、不織布と熱可塑性エラストマーを含有するフィルムとをそれぞれ別々に作製し、不織布に含まれている熱融着性繊維を加熱溶融させた不織布と、溶融状態または不溶融状態、好ましくは溶融状態にあるフィルムとを積層し、両者を圧着させて一体化させる方法などが挙げられるが、本発明は、かかる例示のみに限定されるものではない。本発明においては、不織布を構成している繊維の一部をフィルムの内部に埋没させることによって投錨効果を発現させるとともに、当該フィルムの熱によって不織布を構成している繊維を軟化ないし溶融させ、当該軟化ないし溶融した繊維と当該不織布を構成している他の繊維とがさらに溶着することによって繊維とフィルムとを強固に結合させることにより、例えば、本発明の化粧用シートを５０％伸長させた場合であっても、不織布とフィルムとが追従し、剥離が生じがたい化粧用シートを得る観点から、例えば、押出し機などから押出し成形された直後の加熱溶融されている状態にある熱可塑性エラストマーを含有するフィルムと不織布とを一体化させることにより、不織布とフィルムとを積層することが好ましい。このようにフィルムと不織布とを一体化させた場合には、本発明の化粧用シートは、伸縮性およびリフトアップ効果に優れるという利点を有する。
【００３２】
以上のようにして本発明の化粧用シートが得られる。本発明の化粧料用シートは、不織布と熱可塑性エラストマーを含有するフィルムとが融着一体化されているので、引き伸ばしたときに不織布とフィルムとが剥離しがたく、しかも熱可塑性エラストマーを含有するフィルムが伸縮性に優れているので、伸縮性に優れているとともに５０％伸長後の伸び率が小さいという優れた性質を有する。特に、不織布とフィルムとを押出しラミネート法によって積層させた場合には、本発明の化粧用シートは、不織布とフィルムとを強固に結合させることができるので、引き伸ばしたときに不織布とフィルムとがさらに剥離しがたく、しかも熱可塑性エラストマーを含有するフィルムが伸縮性に優れているので、伸縮性に優れているとともに５０％伸長後の伸び率が小さいという優れた性質を有する。
【００３３】
なお、本発明の化粧用シートの目付は、その用途などによって異なるので一概には決定することができないが、伸縮性および不織布とフィルムとの追従性に優れるとともに、さらにリフトアップ効果にも優れている化粧用シートを得る観点から、好ましくは１０〜２５０ｇ／ｍ2程度、より好ましくは１５〜２００ｇ／ｍ2程度、さらに好ましくは２０〜１５０ｇ／ｍ2程度、さらに一層好ましくは２５〜１２０ｇ／ｍ2程度である。
【００３４】
本発明の化粧用シートの５０％伸長時の荷重は、伸縮性および不織布とフィルムとの追従性に優れるとともに、さらにリフトアップ効果にも優れている化粧用シートを得る観点から、好ましくは０．７５〜３．５Ｎ／２５ｍｍ、より好ましくは０．７５〜３Ｎ／２５ｍｍ、より一層好ましくは０．７５〜２．５Ｎ／２５ｍｍ、さらに好ましくは０．８〜２．３Ｎ／２５ｍｍ、さらに一層好ましくは０．９〜２．２Ｎ／２５ｍｍである。なお、前記「化粧用シートの５０％伸長時」は、長さが１００ｍｍのシートを１５０ｍｍに伸長させたとき」を意味し、単位の「Ｎ／２５ｍｍ」は、幅２５ｍｍ幅のシートを５０％伸長させるのに要する応力（Ｎ）を意味する。化粧用シートの５０％伸長時の荷重は、以下の実施例に記載の方法に基づいて測定したときの値である。
【００３５】
また、本発明の化粧用シートを５０％伸長させた後の化粧用シートの伸び率は、伸縮性および不織布とフィルムとの追従性に優れるとともに、さらにリフトアップ効果にも優れている化粧用シートを得る観点から、好ましくは２０％以下、より好ましくは１５％以下であり、リフトアップ効果に優れている化粧用シートを得る観点から、好ましくは７％以上、より好ましくは７．５％以上、さらに好ましくは８％以上である。本発明の化粧用シートを５０％伸長させた後の化粧用シートの伸び率は、以下の実施例に記載の方法に基づいて測定したときの値である。
【００３６】
本発明の化粧用シートの不織布には、必要により、化粧液を含浸させてもよい。化粧液としては、例えば、肌に柔軟性を与える成分、保湿性を与える成分、栄養成分、薬効成分などが挙げられるが、本発明は、かかる例示のみに限定されるものではない。化粧液の形態としては、例えば、水溶液、乳液、オイル、クリームなどが挙げられる。
【００３７】
本発明の化粧料シートの用途としては、例えば、フェイスマスクをはじめ、人体の各所に化粧料を供給するためのシート、フットケアシート、保湿シート、湿布用シートなどが挙げられるが、本発明は、かかる例示のみに限定されるものではない。
【００３８】
以上説明したように、本発明の化粧用シートは、不織布とフィルムとが積層されているが、不織布として熱融着性繊維を含有する不織布が用いられ、フィルムとして熱可塑性エラストマーを含有するフィルムが用いられ、不織布に含まれる熱融着性繊維とフィルムとが融着一体化されているので、不織布を構成している繊維の一部がフィルムの内部に包含されていることから、不織布を構成している繊維による投錨効果により、例えば、本発明の化粧用シートを５０％伸長させた場合であっても不織布とフィルムとが追従し、剥離が生じがたいという優れた性質を有する。
【００３９】
さらに、本発明の化粧用シートは、伸縮性にも優れるとともに、リフトアップ効果にも優れていることから、例えば、フェイスマスクなどに好適に使用することができる。
【実施例】
【００４０】
次に、本発明を実施例に基づいてさらに詳細に説明するが、本発明は、かかる実施例のみに限定されるものではない。【００４１】
実施例１
レーヨン繊維４０質量％と、ポリエチレンテレフタレート（ＰＥＴ）およびポリエチレン（ＰＥ）の混合物６０質量％とから構成される不織布（熱融着性繊維：ポリエチレンの分割繊維、熱融着性繊維の含有率：２４．５質量％）〔ダイワボウポリテック（株）製、商品名：ＤＦＳ（ＳＨ）Ｒ５−７０、目付：７０ｇ／ｍ2〕の一方表面に、低密度ポリエチレン〔東ソー（株）製、商品名：ペテロセン２１２〕２０質量％とエチレン−オクテンエラストマー〔デュポンダウエラストマージャパン（株）製、商品名：エンゲージ〕８０質量％とからなる樹脂成分を押出ラミネートすることにより、不織布の表面上に厚さ１２μｍのフィルムが形成された化粧用シートを得た。得られた化粧用シートを観察したところ、当該化粧用シートの不織布を構成している繊維の一部がフィルムと一体化していることが確認された。この化粧用シートを切り出すことにより、試験片〔縦(不織布の流れ方向)：２５ｍｍ、横１５０：ｍｍ〕３枚を得た。【００４２】
次に、各試験片の質量の１０倍の質量の水を当該試験片に含浸させた後、万能材料試験機（インストロン社製、５５８２型）を用い、室温（約２３℃）の雰囲気中で、チャック幅１００ｍｍおよび引張速度５００ｍｍ／ｍｉｎの条件で各試験片を伸長させ、各試験片の５０％伸長時の荷重を測定し、３枚の試験片の５０％伸長時の荷重の平均値を求めた。また、前記で５０％伸長時の荷重を測定した各試験片の荷重がゼロに到達した時点で各試験片の伸びを測定し、伸びた長さを元の長さで除し、その値を１００倍することにより、５０％伸長後の伸び率を求め、試験片３枚の平均値を求めた。その結果を表１の「５０％伸長後の伸び率」の欄に示す。【００４３】
実施例２
実施例１において、不織布の表面上に形成されるフィルムの厚さを８μｍに変更したこと以外は、実施例１と同様にして化粧用シートを作製した。得られた化粧用シートを観察したところ、当該化粧用シートの不織布を構成している繊維の一部がフィルムと一体化していることが確認された。【００４４】
次に、前記で得られた化粧用シートを用い、実施例１と同様にして試験片３枚を作製し、試験片の５０％伸長時の荷重の平均値および５０％伸長後の伸び率の平均値を実施例１と同様にして求めた。その結果を表１に示す。【００４５】
実施例３
実施例１において、不織布の表面上に形成されるフィルムの厚さを６μｍに変更したこと以外は、実施例１と同様にして化粧用シートを作製した。得られた化粧用シートを観察したところ、当該化粧用シートの不織布を構成している繊維の一部がフィルムと一体化していることが確認された。【００４６】
次に、前記で得られた化粧用シートを用い、実施例１と同様にして試験片３枚を作製し、試験片の５０％伸長時の荷重の平均値および５０％伸長後の伸び率の平均値を実施例１と同様にして求めた。その結果を表１に示す。【００４７】
実施例４
実施例１で用いられたのと同じ種類の不織布〔ダイワボウポリテック（株）製、商品名：ＤＦＳ（ＳＨ）Ｒ５−７０、目付：７０ｇ／ｍ2〕の一方表面に、低密度ポリエチレン〔東ソー（株）製、商品名：ペテロセン２１２〕３０質量％とエチレン−オクテンエラストマー〔デュポンダウエラストマージャパン（株）製、商品名：エンゲージ〕７０質量％とからなる樹脂成分を押出ラミネートすることにより、不織布の表面上に厚さ６μｍのフィルムが形成された化粧用シートを得た。得られた化粧用シートを観察したところ、当該化粧用シートの不織布を構成している繊維の一部がフィルムと一体化していることが確認された。【００４８】
次に、前記で得られた化粧用シートを用い、実施例１と同様にして試験片３枚を作製し、試験片の５０％伸長時の荷重の平均値および５０％伸長後の伸び率の平均値を実施例１と同様にして求めた。その結果を表１に示す。【００４９】
実施例５
実施例１で用いられたのと同じ種類の不織布〔ダイワボウポリテック（株）製、商品名：ＤＦＳ（ＳＨ）Ｒ５−７０、目付：７０ｇ／ｍ2〕の一方表面に、低密度ポリエチレン〔東ソー（株）製、商品名：ペテロセン２１２〕４０質量％とエチレン−オクテンエラストマー〔デュポンダウエラストマージャパン（株）製、商品名：エンゲージ〕６０質量％とからなる樹脂成分を押出ラミネートすることにより、不織布の表面上に厚さ６μｍのフィルムが形成された化粧用シートを得た。得られた化粧用シートを観察したところ、当該化粧用シートの不織布を構成している繊維の一部がフィルムと一体化していることが確認された。【００５０】
次に、前記で得られた化粧用シートを用い、実施例１と同様にして試験片３枚を作製し、試験片の５０％伸長時の荷重の平均値および５０％伸長後の伸び率の平均値を実施例１と同様にして求めた。その結果を表１に示す。【００５１】
実施例６
実施例１で用いられたのと同じ種類の不織布〔ダイワボウポリテック（株）製、商品名：ＤＦＳ（ＳＨ）Ｒ５−７０、目付：７０ｇ／ｍ2〕の一方表面に、低密度ポリエチレン〔東ソー（株）製、商品名：ペテロセン２１２〕２０質量％とエチレン−オクテンエラストマー〔デュポンダウエラストマージャパン（株）製、商品名：エンゲージ〕８０質量％とからなる樹脂成分を押出ラミネートすることにより、不織布の表面上に厚さ５μｍのフィルムが形成された化粧用シートを得た。得られた化粧用シートを観察したところ、当該化粧用シートの不織布を構成している繊維の一部がフィルムと一体化していることが確認された。【００５２】
次に、前記で得られた化粧用シートを用い、実施例１と同様にして試験片３枚を作製し、試験片の５０％伸長時の荷重の平均値および５０％伸長後の伸び率の平均値を実施例１と同様にして求めた。その結果を表１に示す。【００５３】
実施例７
実施例３で用いられた不織布の代わりに、レーヨン繊維４０質量％と、ポリエチレンテレフタレート（ＰＥＴ）およびポリエチレン（ＰＥ）の混合物６０質量％とから構成される不織布（熱融着性繊維：ポリエチレンの分割繊維、熱融着性繊維の含有率：２４．５質量％）〔ダイワボウポリテック（株）製、商品名：ＤＦＳ（ＳＨ）Ｒ５−５０、目付：５０ｇ／ｍ2〕を用いたこと以外は、実施例３と同様にして化粧用シートを得た。得られた化粧用シートを観察したところ、当該化粧用シートの不織布を構成している繊維の一部がフィルムと一体化していることが確認された。【００５４】
次に、前記で得られた化粧用シートを用い、実施例１と同様にして試験片３枚を作製し、試験片の５０％伸長時の荷重の平均値および５０％伸長後の伸び率の平均値を実施例１と同様にして求めた。その結果を表１に示す。【００５５】
実施例８
実施例２で用いられた不織布の代わりに、レーヨン繊維４０質量％と、ポリエチレンテレフタレート（ＰＥＴ）およびポリエチレン（ＰＥ）の混合物６０質量％とから構成される不織布（熱融着性繊維：ポリエチレンの分割繊維、熱融着性繊維の含有率：２４．５質量％）〔ダイワボウポリテック（株）製、商品名：ＤＦＳ（ＳＨ）Ｒ５−５０、目付：５０ｇ／ｍ2〕を用いたこと以外は、実施例２と同様にして化粧用シートを得た。得られた化粧用シートを観察したところ、当該化粧用シートの不織布を構成している繊維の一部がフィルムと一体化していることが確認された。【００５６】
次に、前記で得られた化粧用シートを用い、実施例１と同様にして試験片３枚を作製し、試験片の５０％伸長時の荷重の平均値および５０％伸長後の伸び率の平均値を実施例１と同様にして求めた。その結果を表１に示す。【００５７】
実施例９
実施例１において、不織布の表面上に形成されるフィルムの厚さを２０μｍに変更したこと以外は、実施例１と同様にして化粧用シートを作製した。得られた化粧用シートを観察したところ、当該化粧用シートの不織布を構成している繊維の一部がフィルムと一体化していることが確認された。【００５８】
次に、前記で得られた化粧用シートを用い、実施例１と同様にして試験片３枚を作製し、試験片の５０％伸長時の荷重の平均値および５０％伸長後の伸び率の平均値を実施例１と同様にして求めた。その結果を表１に示す。【００５９】
比較例１
不織布として、レーヨン繊維４０質量％およびポリエチレンテレフタレート（ＰＥＴ）とポリエチレン（ＰＥ）とからなる熱融着性繊維６０質量％で構成される不織布〔ダイワボウポリテック（株）製、商品名：ＤＦＳ（ＳＨ）Ｒ５−７０、目付：７０ｇ／ｍ2〕を化粧用シートとして用いた。【００６０】
次に、前記で得られた化粧用シートを用い、実施例１と同様にして試験片３枚を作製し、試験片の５０％伸長時の荷重の平均値および５０％伸長後の伸び率の平均値を実施例１と同様にして求めた。その結果を表１に示す。【００６１】
比較例２
不織布として、レーヨン繊維４０質量％およびポリエチレンテレフタレート（ＰＥＴ）とポリエチレン（ＰＥ）とからなる熱融着性繊維６０質量％で構成される不織布〔ダイワボウポリテック（株）製、商品名：ＤＦＳ（ＳＨ）Ｒ５−５０、目付：５０ｇ／ｍ2〕を化粧用シートとして用いた。【００６２】
次に、前記で得られた化粧用シートを用い、実施例１と同様にして試験片３枚を作製し、試験片の５０％伸長時の荷重の平均値および５０％伸長後の伸び率の平均値を実施例１と同様にして求めた。その結果を表１に示す。【００６３】
比較例３
従来の化粧用シートとして、セルロース繊維（コートルズ社製、商品名：テンセル）５０質量％およびポリエステル繊維５０質量％を含有する不織布（目付：４０ｇ／ｍ2、熱融着性繊維の含有率：０質量％）の一方表面に厚さ３０μｍのウレタン樹脂からなるフィルムを載せ、細かいドットで熱圧着させることにより、化粧用シートを得た。【００６４】
次に、前記で得られた化粧用シートを用い、実施例１と同様にして試験片３枚を作製し、試験片の５０％伸長時の荷重の平均値および５０％伸長後の伸び率の平均値を実施例１と同様にして求めた。その結果を表１に示す。【００６５】
次に、各実施例または各比較例で得られた化粧用シートの物性として、不織布とフィルムとの追従性およびリフトアップ効果を以下の方法に基づいて調べた。その結果を表１に併記する。【００６６】
〔追従性〕
各実施例または各比較例で得られた化粧用シートから作製した試験片を５０％伸長させる前後の試験片に変化がないかどうかを目視にて観察し、以下の評価基準に基づいて評価した。
（評価基準）
○：試験片を構成している不織布とフィルムとの間に剥離がなく、５０％伸長させる前後の化粧用シートに変化が認められない。
×：試験片を構成している不織布とフィルムとの間に剥離が認められるなどの５０％伸長させる前後の化粧用シートに変化が認められるか、化粧用シートにフィルムが使用されていない。【００６７】
〔リフトアップ効果〕
各実施例または各比較例で得られた化粧用シートを用い、特許第３８６６５５５号公報の実施例１の記載に準じて当該化粧用シートを打抜くことにより、当該公報の図１に記載されるように、外周縁に掴み部６が２箇所設けられ、外周縁からの切込みが複数箇所に設けられ、目および鼻に対応する箇所にも切込みが形成され、口に対応する箇所には開口が形成されたフェイスマスクを作製した。【００６８】
次に、パネラー１０名に各実施例および各比較例で得られた化粧用シートを用いて作製されたフェイスマスクを顔面に装着してもらい、以下の評価基準に基づいて評価した。
（評価基準）
○：パネラー１０名中９〜１０名がフェイスマスクを顔面に装着することにより、顔面の頬部が耳部に向かって移動（リフトアップ）していることが感じられる。
△：パネラー１０名中７〜８名がフェイスマスクを顔面に装着することにより、顔面の頬部が耳部に向かって移動（リフトアップ）していることが感じられる。
×：パネラー１０名中６名以下がフェイスマスクを顔面に装着することにより、顔面の頬部が耳部に向かって移動（リフトアップ）していることが感じられる。【００６９】
【表１】
2015198933.tif 000002
【００７０】
表１に示された結果から、各実施例で得られた化粧用シートは、いずれも、各比較例で得られた化粧用シートと対比して、５０％伸長後の伸び率が小さいので伸縮性に優れているとともに、不織布とフィルムとの追従性に優れており、さらに適度な５０％伸長時の荷重を有し、リフトアップ効果にも優れていることがわかる。【００７１】
実施例１０
実施例３で得られた化粧用シートを用い、前記「リフトアップ効果」に記載の方法に準じてフェイスマスクを作製した。【００７２】
前記で得られたフェイスマスク（質量：２．０８ｇ）に、当該フェイスマスクに使用されている不織布の質量の１０倍の質量の化粧液を含浸させたところ、当該フェイスマスクの質量は２０．５１ｇであった（化粧液の含浸量：１８．４３ｇ）。【００７３】
次に、前記の化粧液を含浸させたフェイスマスクをパネラーの顔面に２０分間装着してもらった後、再度、このフェイスマスクの質量を測定したところ、当該質量は１７．９３ｇであったことから、フェイスマスクを装着している間に化粧液中の水分が２．５８ｇ蒸散したこと（水分の蒸散量：２．５８ｇ）が確認された。【００７４】
以上の結果から、前記フェイスマスクを装着することによる水分の蒸散率を式：
［水分の蒸散率（％）］＝｛［水分の蒸散量］÷［化粧液の含浸量］｝×１００
に基づいて求めたところ、水分の蒸散率は１４．０質量％であった。【００７５】
比較例４
比較例１で得られた化粧用シートを用い、実施例１０と同様にしてフェイスマスクを作製した。【００７６】
前記で得られたフェイスマスク（質量：２．１７ｇ）に、当該フェイスマスクに使用されている不織布の質量の１０倍の質量の化粧液を含浸させたところ、当該フェイスマスクの質量は２２．４１ｇであった（化粧液の含浸量：２０．２４ｇ）。【００７７】
次に、前記の化粧液を含浸させたフェイスマスクを実施例１０と同様にしてパネラーの顔面に２０分間装着してもらった後、再度、このフェイスマスクの質量を測定したところ、当該質量は１６．９０ｇであったことから、フェイスマスクを装着している間に水分が５．５１ｇ蒸散したこと（水分の蒸散量：５．５１ｇ）が確認された。【００７８】
前記フェイスマスクを装着することによる水分の蒸散率を実施例１０と同様にして求めたところ、水分の蒸散率は２７．２質量％であった。【００７９】
実施例１０および比較例４の結果から、実施例１０で得られたフェイスマスクは、比較例４で得られたフェイスマスクと対比して、水分の蒸散率が格段に低いことから、保湿性（保水性）に優れていることがわかる。
【産業上の利用可能性】
【００８０】
本発明の化粧用シートは、伸縮性および不織布とフィルムとの追従性に優れるとともに、さらにリフトアップ効果にも優れていることから、例えば、フェイスマスク、フットケアシート、保湿シートなどに好適に使用することができるものである。
【国際調査報告】
2015198933.tif 000003
2015198933.tif 000004
2015198933.tif 000005